(57)【要約】      （修正有）【課題】コピー印刷やナンバリング印刷された複数枚のプリントラベルを貼り付ける作業に適合するように被印刷テープを自動的に切断するテープ印刷装置を提供すること。【解決手段】送り出された被印刷テープに対し、プリントラベルにして１枚分のナンバリング印刷又はコピー印刷が行われ、さらに、固定刃と可動刃が協働することにより、当該被印刷テープが自動的に切断されて、１枚のプリントラベルが作出される（Ｓ１３３）。このとき、コピー枚数分又はナンバリング枚数分まで、プリントラベルＰが引き続いて作出されるが、「カットポーズ」の設定がＯＮの状態である場合（Ｓ１３１：ＮＯ）には、Ｓ１３２のカットポーズチェック処理を経由するため、プリントラベルの作出枚数が当該コピー枚数分又は当該ナンバリング枚数分に到達する以前に、プリントラベルの作出が途で一時的に停止される。【選択図】図１３
2005247449.tif 000002
【特許請求の範囲】
【請求項１】
被印刷テープを送り出す送出手段と、前記送出手段で送り出された前記被印刷テープに対して所望枚数のナンバリング印刷又はコピー印刷を行う印刷手段と、前記印刷手段でナンバリング印刷又はコピー印刷が行われている前記被印刷テープを各プリントラベル毎に自動的に切断することにより前記所望枚数のプリントラベルを作出するオートカット手段と、を有するテープ印刷装置において、
前記所望枚数のプリントラベルを作出することを途中で一時的に停止させるカットポーズ手段と、
前記カットポーズ手段を実行するか否かを設定する第１設定手段を備えたこと、を特徴とするテープ印刷装置。
【請求項２】
請求項１に記載するテープ印刷装置であって、
前記カットポーズ手段が実行される開始時点を前記プリントラベルの作出枚数をもって前記第１設定手段で設定すること、を特徴とするテープ印刷装置。
【請求項３】
請求項１又は請求項２に記載するテープ印刷装置であって、
前記カットポーズ手段の実行時間を前記第１設定手段で設定すること、を特徴とするテープ印刷装置。
【請求項４】
被印刷テープを送り出す送出手段と、前記送出手段で送り出された前記被印刷テープに対して所望枚数のナンバリング印刷又はコピー印刷を行う印刷手段と、前記印刷手段でナンバリング印刷又はコピー印刷が行われている前記被印刷テープを作出するオートカット手段と、を有するテープ印刷装置において、
前記所望枚数のプリントラベルを作出することを途中で一時的に停止させるカットポーズ手段と、
前記カットポーズ手段が実行される開始時点を前記プリントラベルの作出枚数をもって設定する枚数設定手段と、を備えたこと、を特徴とするテープ印刷装置。
【請求項５】
請求項４に記載するテープ印刷装置であって、
前記カットポーズ手段の実行時間を設定する時間設定手段を備えたこと、を特徴とするテープ印刷装置。
【請求項６】
被印刷テープを送り出す送出手段と、前記送出手段で送り出された前記被印刷テープに対して所望枚数のナンバリング印刷又はコピー印刷を行う印刷手段と、前記印刷手段でナンバリング印刷又はコピー印刷が行われている前記被印刷テープを作出するオートカット手段と、を有するテープ印刷装置において、
前記所望枚数のプリントラベルを作出することを途中で一時的に停止させるカットポーズ手段と、
前記カットポーズ手段の実行時間を設定する時間設定手段と、を備えたこと、を特徴とするテープ印刷装置。
【請求項７】
請求項１乃至請求項６のいずれか一つに記載するテープ印刷装置であって、
前記カットポーズ手段の実行を解除する解除手段を備えたこと、を特徴とするテープ印刷装置。
【請求項８】
請求項７に記載するテープ印刷装置であって、
前記解除手段を実行させる契機となる入力手段を備えたこと、を特徴とするテープ印刷装置。
【発明の詳細な説明】
【技術分野】
【０００１】
本発明は、印刷された被印刷テープを自動的に切断することによりプリントラベルを作出するオートカット機構を備え、さらに、同じ印刷内容を被印刷テープに繰り返して印刷するコピー印刷や、印刷内容に含まれている数字や文字を自動的に所定法則で変更しながら当該印刷内容を被印刷テープに繰り返して印刷するナンバリング印刷を行うことができる、テープ印刷装置に関するものである。
【背景技術】
【０００２】
従来、このようなテープ印刷装置では、コピー印刷やナンバリング印刷を行った場合にも、オートカット機構を作動させることができるが、このとき、オートカット機構は、被印刷テープ上の各印刷内容の間に形成された余白部分を自動的に切断することにより、所望枚数のプリントラベルを作出していた（例えば、特許文献１参照）。
【特許文献１】特開平１１−２７７８２３号公報
【０００３】
しかしながら、コピー印刷やナンバリング印刷されたプリントラベルを多数枚作出する場合には、印刷内容が繰り返し印刷された被印刷テープがオートカット機構により次々に切断され、作出された多数枚のプリントラベルがまとまりもなく積み重なっていくので、プリントラベルを貼り付ける作業を同時に行おうとすると、貼り付け対象のプリントラベルを取り上げるに不便であった。特に、ナンバリング印刷を行った場合や、ナンバリング印刷とコピー印刷を併用した場合には、印刷内容に含まれている数字が異なるプリントラベルが多数枚作出されることから、貼り付け対象のプリントラベルを特定するにも不便であった。
【０００４】
さらに、各プリントラベルの貼付先が点々としている場合には、まとまりもなく積み重なった多数枚のプリントラベルを整理し直した後に、各プリントラベルの貼付先にまで移動しなければならなかった。そのため、ユーザーによっては、被印刷テープ上の各印刷内容の間に形成された余白部分をオートカット機構で切断することはやめて、各プリントラベルが連なった１枚の長尺状プリントラベルを作出し、各貼付先に移動する度に、はさみなどによって、当該貼付先の貼り付け対象のプリントラベルを前記長尺状プリントラベルから切り離す作業が行われていた。特に、前記長尺状プリントラベルは、その長さによっては渦巻き状に丸まっていることから、この状態にあると、当該切離作業が煩わしくなる。
【０００５】
従って、従来のテープ印刷装置を使用して、コピー印刷やナンバリング印刷された複数枚のプリントラベルを作出した際には、それらのプリントラベルを貼り付ける作業が煩雑となり、また、オートカット機構を有効に活用することもできなかった。
【発明の開示】
【発明が解決しようとする課題】
【０００６】
そこで、本発明は、上述した点を鑑みてなされたものであり、コピー印刷やナンバリング印刷された複数枚のプリントラベルを貼り付ける作業に適合するように被印刷テープを自動的に切断するテープ印刷装置を提供することを課題とする。
【課題を解決するための手段】
【０００７】
この課題を解決するために成された請求項１に係る発明は、被印刷テープを送り出す送出手段と、前記送出手段で送り出された前記被印刷テープに対して所望枚数のナンバリング印刷又はコピー印刷を行う印刷手段と、前記印刷手段でナンバリング印刷又はコピー印刷が行われている前記被印刷テープを各プリントラベル毎に自動的に切断することにより前記所望枚数のプリントラベルを作出するオートカット手段と、を有するテープ印刷装置において、前記所望枚数のプリントラベルを作出することを途中で一時的に停止させるカットポーズ手段と、前記カットポーズ手段を実行するか否かを設定する第１設定手段を備えたこと、を特徴としている。
【０００８】
また、請求項２に係る発明は、請求項１に記載するテープ印刷装置であって、前記カットポーズ手段が実行される開始時点を前記プリントラベルの作出枚数をもって前記第１設定手段で設定すること、を特徴としている。
【０００９】
また、請求項３に係る発明は、請求項１又は請求項２に記載するテープ印刷装置であって、前記カットポーズ手段の実行時間を前記第１設定手段で設定すること、を特徴としている。
【００１０】
また、請求項４に係る発明は、被印刷テープを送り出す送出手段と、前記送出手段で送り出された前記被印刷テープに対して所望枚数のナンバリング印刷又はコピー印刷を行う印刷手段と、前記印刷手段でナンバリング印刷又はコピー印刷が行われている前記被印刷テープを作出するオートカット手段と、を有するテープ印刷装置において、前記所望枚数のプリントラベルを作出することを途中で一時的に停止させるカットポーズ手段と、前記カットポーズ手段が実行される開始時点を前記プリントラベルの作出枚数をもって設定する枚数設定手段と、を備えたこと、を特徴としている。
【００１１】
また、請求項５に係る発明は、請求項４に記載するテープ印刷装置であって、前記カットポーズ手段の実行時間を設定する時間設定手段を備えたこと、を特徴としている。
【００１２】
また、請求項６に係る発明は、被印刷テープを送り出す送出手段と、前記送出手段で送り出された前記被印刷テープに対して所望枚数のナンバリング印刷又はコピー印刷を行う印刷手段と、前記印刷手段でナンバリング印刷又はコピー印刷が行われている前記被印刷テープを作出するオートカット手段と、を有するテープ印刷装置において、前記所望枚数のプリントラベルを作出することを途中で一時的に停止させるカットポーズ手段と、前記カットポーズ手段の実行時間を設定する時間設定手段と、を備えたこと、を特徴としている。
【００１３】
また、請求項７に係る発明は、請求項１乃至請求項６のいずれか一つに記載するテープ印刷装置であって、前記カットポーズ手段の実行を解除する解除手段を備えたこと、を特徴としている。
【００１４】
また、請求項８に係る発明は、請求項７に記載するテープ印刷装置であって、前記解除手段を実行させる契機となる入力手段を備えたこと、を特徴としている。
【００１５】
このような特徴を有する本発明のテープ印刷装置では、送り出されながらナンバリング印刷又はコピー印刷が行われている被印刷テープを自動的に切断することにより所望枚数のプリントラベルを作出するが、このとき、所望枚数のプリントラベルを作出することを途中で一時的に停止させるカットポーズを実行するか否かを設定することができる。
【発明の効果】
【００１６】
すなわち、本発明の請求項１に係るテープ印刷装置では、カットポーズ手段を実行するように設定すれば、送り出されながらナンバリング印刷又はコピー印刷が行われている被印刷テープを自動的に切断して所望枚数のプリントラベルを作出することを途中で一時的に停止させること（以下、「カットポーズ」という）ができるので、コピー印刷やナンバリング印刷された複数枚のプリントラベルを貼り付ける作業（以下、「貼付作業」という）に適合するように被印刷テープを自動的に切断することが可能である。
【００１７】
この点、本発明の請求項２に係るテープ印刷装置では、「カットポーズ」について、その実行の開始時点を任意に設定できるので、「貼付作業」の実際の事情に合わせて、「カットポーズ」を操作することが可能となる。
【００１８】
また、本発明の請求項３に係るテープ印刷装置では、「カットポーズ」について、その実行時間を任意に設定できるので、「貼付作業」の実際の事情に合わせて、「カットポーズ」を操作することが可能となる。
【００１９】
また、本発明の請求項４に係るテープ印刷装置は、カットポーズ手段の実行開始時点を印刷枚数にて任意に設定することができるので、設定した印刷枚数のプリントラベルを作出した時点で、一時的に停止させることができ、「貼付作業」の実際の事情に合わせてプリントラベルの作出を一時的に停止することができ、「カットポーズ」を操作することが可能となる。
【００２０】
また、本発明の請求項５に係るテープ印刷装置は、さらに、カットポーズ手段の実行時間を任意に設定することができるので、設定した時間が経過した時点で、「カットポーズ」を解除することができ、「貼付作業」の実際の事情に合わせて、プリントラベルの作出を再開することができ、「カットポーズ」を操作することが可能となる。
【００２１】
また、本発明の請求項６に係るテープ印刷装置は、カットポーズ手段の実行開始時点を印刷枚数にて任意に設定することができるので、設定した印刷枚数のプリントラベルを作出した時点で、一時的に停止させることができ、「貼付作業」の実際の事情に合わせてプリントラベルの作出を一時的に停止することができ、さらに、カットポーズ手段の実行時間を任意に設定することができるので、設定した時間が経過した時点で、「カットポーズ」を解除することができ、「貼付作業」の実際の事情に合わせて、プリントラベルの作出を再開することができ、「カットポーズ」を操作することが可能となる。
【００２２】
また、本発明の請求項７に係るテープ印刷装置は、「カットポーズ」の実行の解除を任意に行うことができるので、「貼付作業」の実際の事情に合わせて、「カットポーズ」を操作することが可能となる。
【００２３】
また、本発明の請求項８に係るテープ印刷装置は、「カットポーズ」の実行の解除を入力手段の操作によって行うことができるので、「貼付作業」の実際の事情に合わせて、「カットポーズ」の操作を任意で容易にすることが可能となる。
【００２４】
尚、本発明の請求項１乃至８のいずれか一つに係るテープ印刷装置では、被印刷テープになされるナンバリング印刷とコピー印刷について、その優先度を設定することができるようにすれば、被印刷テープに印刷される内容の順番を「貼付作業」の都合のよいように処理することができるので、そのように処理された被印刷テープに対して「カットポーズ」を行う結果、「貼付作業」の実際の事情により合わせることができる。
【発明を実施するための最良の形態】
【００２５】
以下、本発明の実施の形態を図面を参照にして説明する。
【００２６】
先ず、本実施の形態のテープ印刷装置における主要な機能について説明する。本実施の形態のテープ印刷装置では、例えば、図１８（ａ）に示すように、「Ａ１」という印刷内容を被印刷テープＴに繰り返して印刷するコピー印刷を行うことができ、この印刷の際に、各印刷内容の間に位置する切断線１０１に沿って被印刷テープＴを自動的に切断することにより、図１８（ｂ）に示すように、複数枚のプリントラベルＰを作り出すことができる。
【００２７】
また、本実施の形態のテープ印刷装置では、例えば、図１９（ａ）に示すように、印刷内容に含まれている数字を自動的に「１」ずつ加算しながら当該印刷内容を被印刷テープＴに繰り返して印刷するナンバリング印刷を行うことができ、この印刷の際に、各印刷内容の間に位置する切断線１０１に沿って被印刷テープＴを自動的に切断することにより、図１９（ｂ）に示すように、複数枚のプリントラベルＰを作り出すことができる。
尚、上記加算される数字は「１」に限定されるものではなく、「２」や「５」といった所望の数字に設定可能であることは言うまでもない。
【００２８】
さらに、本実施の形態のテープ印刷装置では、コピー印刷とナンバリング印刷を併用して行うことができ、この際に、コピー印刷とナンバリング印刷の優先度を定めて行うことができる。例えば、「Ａ１」という印刷内容が印刷された２枚のプリントラベルＰと、「Ａ２」という印刷内容が印刷された２枚のプリントラベルＰを連続して作成する場合を想定する。
【００２９】
ここで、コピー印刷を優先させると、図２０（ａ）に示すようになり、「Ａ１」、「Ａ１」、「Ａ２」、「Ａ２」の順で印刷内容を被印刷テープＴに印刷を行い、この印刷の際に、各印刷内容の間に位置する切断線１０１に沿って被印刷テープＴを自動的に切断することにより、図２０（ｂ）に示すように、所望の各プリントラベルＰを作り出すことができる。一方、ナンバリング印刷を優先させると、図２１（ａ）に示すようになり、「Ａ１」、「Ａ２」、「Ａ１」、「Ａ２」の順で印刷内容を被印刷テープＴに印刷を行い、この印刷の際に、各印刷内容の間に位置する切断線１０１に沿って被印刷テープＴを自動的に切断することにより、図２１（ｂ）に示すように、所望の各プリントラベルＰを作り出すことができる。
【００３０】
従って、図２０（ｂ）と図２１（ｂ）を比較すればわかるように、コピー印刷とナンバリング印刷のいずれを優先させても、所望の各プリントラベルＰを作り出すことができるが、コピー印刷とナンバリング印刷のいずれかを優先させることによって、所望の各プリントラベルＰを作り出す順番を操作することができる。
【００３１】
そして、本実施の形態のテープ印刷装置では、コピー印刷を行った場合や、ナンバリング印刷を行った場合、コピー印刷とナンバリング印刷を併用して行った場合において、具体的には、例えば、図１８〜図２１に示す場合などにおいて、各印刷内容の間に位置する切断線１０１に沿って被印刷テープＴを自動的に切断することを当該印刷とともに一時的に停止することができる。そこで、以下は、この技術を実現する構成・動作について説明する。
【００３２】
尚、本実施の形態において、上述した「カットポーズ」とは、例えば、図１８〜図２１に示す場合などについて言えば、コピー印刷を行った場合や、ナンバリング印刷を行った場合、コピー印刷とナンバリング印刷を併用して行った場合において、各印刷内容の間に位置する切断線１０１に沿って被印刷テープＴを自動的に切断することを当該印刷とともに一時的に停止することをいう。
【００３３】
また、本実施の形態のテープ印刷装置では、後述するように、「カットポーズ」のＯＮ・ＯＦＦや、枚数、時間の設定を行うことができる。この点、「カットポーズ」のＯＮ・ＯＦＦの設定とは、「カットポーズ」を実行するか否かを設定することをいう。また、「カットポーズ」の枚数の設定とは、「カットポーズ」の実行タイミングをプリントラベルＰの作出枚数をもって設定することをいう。また、「カットポーズ」の時間の設定とは、「カットポーズ」の実行時間を設定することをいう。
【００３４】
従って、例えば、上述した図２１に示す場合において、「カットポーズ」をＯＮと設定し、「カットポーズ」の枚数を「１枚」と設定とし、「カットポーズ」の時間を「１０秒」と設定したときには、印刷内容が「Ａ１」のプリントラベルＰが１枚作出されると、そこから１０秒の間は残りのプリントラベルＰの作出が停止され、当該１０秒が経過すると、印刷内容が「Ａ２」、「Ａ１」、「Ａ２」の順で、残りのプリントラベルＰが１０秒経過する毎に３枚作出される。また、上述した図２１に示す場合において、「カットポーズ」をＯＮと設定し、「カットポーズ」の枚数を「２枚」と設定とし、「カットポーズ」の時間を「３０秒」と設定したときには、印刷内容が「Ａ１」、「Ａ２」の順でプリントラベルＰが連続して２枚作出されると、そこから３０秒の間は残りのプリントラベルＰの作出が停止され、当該３０秒が経過すると、印刷内容が「Ａ１」、「Ａ２」の順で、残りのプリントラベルＰが連続して２枚作出される。
一方、「カットポーズ」をＯＦＦと設定したときには、「カットポーズ」が実行されることはないので、例えば、上述した図２１に示す場合では、印刷内容が「Ａ１」、「Ａ２」、「Ａ１」、「Ａ２」の順で、プリントラベルＰが連続して４枚作出される。
【００３５】
図１はテープカセット収納部の収納カバーを開けて示すテープ印刷装置の平面図である。図１において、テープ印刷装置１には文字等を入力するための文字入力キー２、印刷キー３、カットポーズ設定キー４、改行や各種処理の実行を指令するリターンキー５、コピー設定キー１１１、ナンバリング設定キー１１２、２個のカーソルキー１１３等の各種のファンクションキーが設けられたキーボード６、キーボード６から入力された文字等を表示する液晶ディスプレイ７及び後述するテープカセット３０を収納するカセット収納部８が配設されている。
【００３６】
また、カセット収納部８には、後述するパルスモータ７５により回転駆動され、テープカセット３０のリボン巻取スプール３８を回動してサーマルインクリボン３４を巻取るリボン巻取軸９が立設されており、又、その斜め前方（キーボード６側）には、パルスモータ７５から適宜の伝達機構を介して回転駆動され、後述するテープ送りローラ４３を回動するためのテープ送りローラ軸１０が立設されている。更に、カセット収納部８の前方には、サーマルインクリボン３４を介して後述するフィルムテープ３２上に印刷を行うサーマルヘッド１１が固設されている。
【００３７】
尚、かかるカセット収納部８は、テープ印刷装置１の後方に回動可能に枢支された収納カバー１２により開閉され、開状態でテープカセット３０の交換等が行われる。
【００３８】
次に、テープカセット３０の構成について図２及び図３を参照して説明する。図２はカセット収納部８にテープカセット３０を収納した状態を示す平面図（テープカセット３０は上ケースを除いて示す）であり、また、図３はその一部を拡大して示す平面図である。
【００３９】
これらの図において、下ケース３１内には透明なフィルムテープ３２が巻回されたテープスプール３３、サーマルインクリボン３４が巻回されたリボンスプール３５、剥離紙付き両面粘着テープ３６が剥離紙側を外側にして巻回された粘着テープスプール３７が配設されており、これら各スプール３３、３５、３７は図示しない上ケースの下面に設けられた支持部との協働により回転可能に支持されている。
【００４０】
また、各スプール３３、３５、３７の間にリボン巻取スプール３８が同様に回転可能に支持されており、かかるリボン巻取スプール３８は上記したリボン巻取軸９に噛合されリボン巻取軸９の駆動により印刷で使用されたサーマルインクリボン３４を巻取る。
【００４１】
更に、前記したサーマルヘッド１１は下ケース３１に設けられた凹部３９に配置され、このサーマルヘッド１１には後述するローラホルダＨに回転可能に支持されたプラテンローラ４０が圧接状態で対向配置されている。かかるサーマルヘッド１１は多数の発熱素子（本実施例のサーマルヘッド１１では１２８個の発熱素子が設けられている）を有しており、サーマルインクリボン３４を介してフィルムテープ３２に文字等の印刷を行うものである。
【００４２】
また、下ケース３１のテープ排出部４１（図１、図２中左下側）の近傍にテープ圧接ローラ４２が回転可能に支持され、このテープ圧接ローラ４２には後述するローラホルダＨに回転可能に支持されたテープ送りローラ４３が圧接状態で対向配置されている。
【００４３】
カセット収納部８において、テープカセット３０の前方（図１、図２中下側）には、ローラホルダＨが支持軸４４により回動可能に枢支され、このローラホルダＨは図示しない手動の切換機構により印刷位置とリリース位置とに切換可能とされている（図１、図２は共に印刷位置に切り換えられた状態を示す）。
【００４４】
かかるローラホルダＨには、図３に示すように上記したプラテンローラ４０及びテープ送りローラ４３がそれぞれ回転可能に、且つ、サーマルヘッド１１及び圧接ローラ４２に対し圧接されるように配設されている。
【００４５】
即ち、プラテンローラ４０は、ホルダ部材４５上に立設された回転軸４６を中心として回転可能に支持され、また、ホルダ部材４５はこれとローラホルダＨの後壁Ｒとの間に介挿された弾性ばね４７によりサーマルヘッド１１に圧接されている。
【００４６】
また、テープ送りローラ４３は、ホルダ部材４８上に立設された回転軸４９を中心として回転可能に支持され、また、ホルダ部材４８はこれとローラホルダＨの後壁Ｒとの間に介挿された弾性ばね５０により圧接ローラ４２に対し圧接されるように配設されている。尚、テープ送りローラ４３は前記したテープ送りローラ軸１０により回転駆動され、同時に、圧接ローラ４２は図示しないギヤ機構でテープ送りローラ４３と連動して回転駆動される。
【００４７】
更に、プラテンローラ４０及びテープ送りローラ４３の双方に接触するように中間ローラ５１がホルダ部材５２に回転軸５３を介して回転可能に支持されており、また、かかるホルダ部材５２は前記回転軸４６を中心としてホルダ部材４５と同軸的に回動可能とされ、常には、ホルダ部材５２の後端部とローラホルダＨとの間に介挿された引きばね５４の作用により図２中反時計方向に付勢されている。これにより、中間ローラ５１はプラテンローラ４０及びテープ送りローラ４３の双方に接触されている。
【００４８】
また、フィルムテープ３２の送り方向に沿ってサーマルヘッド１１の下流側であるテープ排出部４１の近傍にはカッタ機構が５５が配設されている。かかるカッタ機構５５は公知のハサミと同様の構成をしており、固定刃５６と可動刃５７とからなる。この可動刃５７は枢支軸５８を中心として回動する回動レバー５９に固着されており、また、回動レバー５９はギヤ機構６０を介してＤＣモータ６１の駆動軸６１Ａに固着されたピニオン６２と連結されている。
【００４９】
これより、可動刃５７はＤＣモータ６１の駆動軸６１Ａの正逆回転に伴いピニオン６２、ギヤ機構６０、回動レバー５９を介して、枢支軸５８を支点として開閉するものであり、かかる開閉動作に伴い固定刃５６と協働して作成された被印刷テープＴを切断するものである。
【００５０】
尚、圧接ローラ４２及びテープ送りローラ４３は、これらが協働してサーマルヘッド１１によりサーマリルインクリボン３４を介して文字等が印刷されたフィルムテープ３２に対し両面粘着テープ３６の粘着剤面を圧着し、最終的に被印刷テープＴを作成するものである。
【００５１】
次に、テープ印刷装置の制御系について図４に基づき説明する。図４はテープ印刷装置のブロック図であり、制御装置（以下、ＣＰＵと称する）７０を核として構成されている。図４において、キーボード６がＣＰＵ７０に接続されており、ＣＰＵ７０はキーボード６の文字入力キー２から入力される文字入力信号や印刷キー３、カットポーズ設定キー４、リターンキー５、コピー設定キー１１１、ナンバリング設定キー１１２、カーソルキー１１３等のキーから入力される各種入力信号を判別する。
【００５２】
また、ＣＰＵ７０にはＲＯＭ７１が接続されている。このＲＯＭ７１には、後述するメイン制御プログラムや、カットポーズ設定処理プログラム、コピー印刷設定処理プログラム、ナンバリング印刷設定処理プログラム、複数枚印刷処理プログラム、キーボード６の文字入力キー２から入力された文字等に対応するコードデータに基づいてドットパターンデータを発生するＣＧＲＯＭ、その他テープ印刷装置の制御上必要な各種のプログラムが記憶されている。このＲＯＭ７１に記憶されている上記各種プログラムは、ＣＰＵ７０により適宜実行される。
【００５３】
更に、ＣＰＵ７０に接続されたＲＡＭ７２は各種データを一時的に記憶させておくものであり、キーボード６の文字入力キー２から入力された文字等に対応するコードデータを順次記憶してテキストが保存されるテキストメモリ、前記ＣＧＲＯＭを介してテキストメモリのコードデータがドットパターンデータに展開されて記憶される展開バッファ、展開バッファのドットパターンデータが転送され前記サーマルヘッド１１により印刷される印刷データを記憶する印刷バッファ、液晶ディスプレイ７に表示する表示データを記憶する表示バッファ、その他外字パターンデータを登録しておくための外字パターンバッファ等のメモリを備えている。
【００５４】
更に、ＣＰＵ７０には液晶ディスプレイ駆動回路７３を介して液晶ディスプレイ７が接続され、ＣＰＵ７０はＲＡＭ７２の表示バッファに記憶された表示データに基づいて液晶ディスプレイ駆動回路７３を駆動し、液晶ディスプレイ７に入力された文字等を表示させる。また、ＣＰＵ７０はＲＯＭ７１に記憶されたプログラムに基づいてパルスモータ駆動回路７４を駆動してパルスモータ７５の制御を行い、これにより被印刷テープＴの送り制御を行う。同様に、ＣＰＵ７０はＲＯＭ７１に記憶されたプログラムに基づいてＤＣモータ駆動回路７６を駆動することによりＤＣモータ６１の制御を行う。
【００５５】
また、ＣＰＵ７０にはサーマルヘッド駆動回路７７を介してサーマルヘッド１１が接続されており、ＣＰＵ７０はＲＡＭ７２の印刷バッファに記憶された印刷データに基づいてサーマルヘッド駆動回路７７を駆動し、サーマルヘッド１１によりフィルムテープ３２上に文字等の印刷を行う。
【００５６】
次に、前記のように構成されたテープ印刷装置１の動作について図５乃至図１７を参照して説明する。図５はメイン制御プログラムのフローチャートを示した図である。図５に示すように、先ず、ステップ（以下、「Ｓ」と略記する）１１において、キーボード６上のいずれかのキーからキー入力があると、Ｓ１２に進んで、文字入力キー２の入力があったかどうか判断される。このとき、文字入力キー２の入力があったと判断される場合（Ｓ１２：ＹＥＳ）には、Ｓ１８に進んで、ＲＡＭ７２に確保された入力バッファを使用して文字入力処理が行われた後に、上述したＳ１１に戻る。一方、文字入力キー２の入力がなかったと判断される場合（Ｓ１２：ＮＯ）には、Ｓ１３に進む。
【００５７】
Ｓ１３では、カットポーズ設定キー４の入力があったかどうか判断される。このとき、カットポーズ設定キー４の入力があったと判断される場合（Ｓ１３：ＹＥＳ）には、Ｓ１９に進んで、後述するカットポーズ設定処理が行われた後に、上述したＳ１１に戻る。一方、カットポーズ設定キー４の入力がなかったと判断される場合（Ｓ１３：ＮＯ）には、Ｓ１４に進む。
【００５８】
Ｓ１４では、コピー設定キー１１１の入力があったかどうか判断される。このとき、コピー設定キー１１１の入力があったと判断される場合（Ｓ１４：ＹＥＳ）には、その旨がＲＡＭ７２に記憶され、さらに、Ｓ２０に進んで、後述するコピー印刷設定処理が行われた後に、上述したＳ１１に戻る。一方、コピー設定キー１１１の入力がなかったと判断される場合（Ｓ１４：ＮＯ）には、Ｓ１５に進む。
【００５９】
Ｓ１５では、ナンバリング設定キー１１２の入力があったかどうか判断される。このとき、ナンバリング設定キー１１２の入力があったと判断される場合（Ｓ１５：ＹＥＳ）には、その旨がＲＡＭ７２に記憶され、さらに、Ｓ２１に進んで、後述するナンバリング印刷設定処理が行われた後に、上述したＳ１１に戻る。一方、ナンバリング設定キー１１２の入力がなかったと判断される場合（Ｓ１５：ＮＯ）には、Ｓ１６に進む。
【００６０】
Ｓ１６では、印刷キー３の入力があったかどうか判断される。このとき、印刷キー３の入力があったと判断される場合（Ｓ１５：ＹＥＳ）には、Ｓ２２に進んで、後述する複数枚印刷処理が行われた後に、上述したＳ１１に戻る。一方、印刷キー３の入力がなかったと判断される場合（Ｓ１５：ＮＯ）には、Ｓ１７に進んで、その他の処理を行った後に、上述したＳ１１に戻る。
【００６１】
次に、上述した図５のＳ１９のカットポーズ設定処理について説明する。図６はカットポーズ設定処理プログラムのフローチャートを示した図である。上述したように、図５のＳ１３において、カットポーズ設定キー４の入力があったと判断される場合（Ｓ１３：ＹＥＳ）には、図５のＳ１９に進んで、図６のカットポーズ設定処理が行われる。すなわち、図６に示すように、先ず、Ｓ１０１において、「カットポーズ」のＯＮ・ＯＦＦの設定が行われる。具体的には、このＳ１０１に進むと、図７（ａ）に示すように、液晶ディスプレイ７において、「カットポーズ設定  ＯＦＦ」の表示がなされ、「カットポーズ」のＯＦＦが設定された状態にある。このとき、カットポーズ設定キー４の入力があると、図７（ｂ）に示すように、液晶ディスプレイ７において、「カットポーズ設定  ＯＮ」の表示がなされ、「カットポーズ」のＯＮが設定された状態に移行する。さらに、カットポーズ設定キー４の入力があると、図７（ａ）に示すように、液晶ディスプレイ７において、「カットポーズ設定  ＯＦＦ」の表示がなされ、「カットポーズ」のＯＦＦが設定された状態に移行する。すなわち、このＳ１０１においては、カットポーズ設定キー４の入力がある毎に、「カットポーズ」のＯＮが設定された状態と「カットポーズ」のＯＦＦが設定された状態とに交互に移行する。そして、このＳ１０１において、リターンキー５の入力があると、「カットポーズ」のＯＮ・ＯＦＦの設定が確定されて、そのＯＮ又はＯＦＦがＲＡＭ７２に記憶され、Ｓ１０２に進むことができる。
【００６２】
Ｓ１０２では、「カットポーズ」のＯＮが設定された状態であるか否か判断される。このとき、「カットポーズ」のＯＮが設定された状態でないと判断される場合（Ｓ１０２：ＮＯ）には、何もすることなく、図５のメイン制御プログラムに復帰するが、「カットポーズ」のＯＮが設定された状態であると判断される場合（Ｓ１０２：ＹＥＳ）には、Ｓ１０３に進む。
【００６３】
Ｓ１０３では、「カットポーズ」の枚数の設定が行われる。具体的には、このＳ１０３に進むと、図８に示すように、液晶ディスプレイ７において、「カットポーズ枚数設定  枚」の表示がなされ、このとき、キーボード６上のキーなどで数字の入力があると、その数字が表示される。例えば、「７」の数字の入力があると、液晶ディスプレイ７において、「カットポーズ枚数設定  ７枚」の表示がなされる。尚、ここで、カットポーズ設定キー４の入力があると、入力された数字が取り消され、再び、図８に示すように、液晶ディスプレイ７において、「カットポーズ枚数設定  枚」の表示がなされ、あらためて数字の入力を行うことができる。そして、このＳ１０３において、リターンキー５の入力があると、「カットポーズ」の枚数の設定が確定されて、その枚数がＲＡＭ７２に記憶され、Ｓ１０４に進むことができる。
【００６４】
Ｓ１０４では、「カットポーズ」の時間の設定が行われる。具体的には、このＳ１０４に進むと、図９に示すように、液晶ディスプレイ７において、「カットポーズ時間設定  秒」の表示がなされ、このとき、キーボード６上のキーなどで数字の入力があると、その数字が表示される。例えば、「３０」の数字の入力があると、液晶ディスプレイ７において、「カットポーズ時間設定  ３０秒」の表示がなされる。尚、ここで、カットポーズ設定キー４の入力があると、入力された数字が取り消され、再び、図９に示すように、液晶ディスプレイ７において、「カットポーズ時間設定  秒」の表示がなされ、あらためて数字の入力を行うことができる。そして、このＳ１０４において、リターンキー５の入力があると、「カットポーズ」の時間の設定が確定されて、その時間がＲＡＭ７２に記憶され、図５のメイン制御プログラムに復帰することができる。
【００６５】
次に、上述した図５のＳ２０のコピー印刷設定処理及び図５のＳ２１のナンバリング印刷設定処理について説明する。図１０は、コピー印刷設定処理プログラム及びナンバリング印刷設定処理プログラムのフローチャートを示した図である。上述したように、図５のＳ１４において、コピー設定キー１１１の入力があったと判断される場合（Ｓ１４：ＹＥＳ）には、図５のＳ２０に進んで、図１０のコピー印刷設定処理が行われる。すなわち、図１０に示すように、先ず、Ｓ１１１において、コピー枚数の設定が行われる。具体的には、このＳ１１１に進むと、液晶ディスプレイ７において、「コピー枚数  枚」の表示がなされ、このとき、キーボード６上のキーなどで数字の入力があると、その数字が表示される。例えば、「２」の数字の入力があると、液晶ディスプレイ７において、「コピー枚数  ２枚」の表示がなされる。尚、ここで、コピー設定キー１１１の入力があると、入力された数字が取り消され、再び、液晶ディスプレイ７において、「コピー枚数  枚」の表示がなされ、あらためて数字の入力を行うことができる。そして、このＳ１１１において、リターンキー５の入力があると、コピー枚数の設定が確定されて、その枚数がＲＡＭ７２に記憶され、Ｓ１１６に進むことができる。
【００６６】
Ｓ１１６では、コピー／ナンバリングの優先度の設定が行われる。この設定によって、コピー印刷を優先させるか、それとも、ナンバリング印刷を優先させるかが確定される。具体的には、このＳ１１６に進むと、図１１（ａ）に示すように、液晶ディスプレイ７において、「コピー／ナンバリング優先設定  コピー優先」の表示がなされ、コピー印刷を優先させた状態にある。このとき、コピー設定キー１１１又はナンバリング設定キー１１２の入力があると、図１１（ｂ）に示すように、液晶ディスプレイ７において、「コピー／ナンバリング優先設定  ナンバリング優先」の表示がなされ、ナンバリング印刷を優先させた状態に移行する。さらに、コピー設定キー１１１又はナンバリング設定キー１１２の入力があると、図１１（ａ）に示すように、液晶ディスプレイ７において、「コピー／ナンバリング優先設定  コピー優先」の表示がなされ、コピー印刷を優先させた状態に移行する。すなわち、このＳ１１６においては、コピー設定キー１１１又はナンバリング設定キー１１２の入力がある毎に、コピー印刷を優先させた状態とナンバリング印刷を優先させた状態とに交互に移行する。そして、このＳ１１６において、リターンキー５の入力があると、コピー／ナンバリングの優先度の設定が確定されて、その優先度がＲＡＭ７２に記憶され、図５のメイン制御プログラムに復帰することができる。
【００６７】
一方、上述したように、図５のＳ１５において、ナンバリング設定キー１１２の入力があったと判断される場合（Ｓ１５：ＹＥＳ）には、図５のＳ２１に進んで、図１０のナンバリング印刷設定処理が行われる。すなわち、図１０に示すように、先ず、Ｓ１１２において、ＲＡＭ７２に確保された入力バッファにおいてテキストがあるか否かが判断される。このとき、テキストがないと判断される場合（Ｓ１１２：ＮＯ）には、Ｓ１１３に進んで、液晶ディスプレイ７にエラー表示がなされ、本プログラムを終了させる。一方、テキストがあると判断される場合（Ｓ１１２：ＹＥＳ）には、Ｓ１１４に進んで、ナンバリング枚数の設定が行われる。具体的には、このＳ１１４に進むと、液晶ディスプレイ７において、「ナンバリング枚数  枚」の表示がなされ、このとき、キーボード６上のキーなどで数字の入力があると、その数字が表示される。例えば、「３」の数字の入力があると、液晶ディスプレイ７において、「ナンバリング枚数  ３枚」の表示がなされる。尚、ここで、コピー設定キー１１１の入力があると、入力された数字が取り消され、再び、液晶ディスプレイ７において、「ナンバリング枚数  枚」の表示がなされ、あらためて数字の入力を行うことができる。そして、このＳ１１４において、リターンキー５の入力があると、ナンバリング枚数の設定が確定されて、その枚数がＲＡＭ７２に記憶され、Ｓ１１５に進むことができる。
【００６８】
Ｓ１１５では、ナンバリングの範囲が設定される。具体的には、液晶ディスプレイ７に表示されたテキストに対し、カーソルを介して、ナンバリングの対象となる数字の位置を特定する。このとき、液晶ディスプレイ７に表示されるカーソルの移動は、カーソルキー１１３の入力により行われる。尚、ナンバリングとは、例えば、上述した図１９〜図２１に示す場合においては、その対象となる数字に対し自動的に「１」ずつ加算することをいう。そして、このＳ１１５において、リターンキー５の入力があると、ナンバリングの範囲の設定が確定され、その範囲がＲＡＭ７２に記憶され、Ｓ１１６に進むことができる。
【００６９】
Ｓ１１６では、上述したように、コピー／ナンバリングの優先度の設定が行われる。この設定によって、コピー印刷を優先させるか、それとも、ナンバリング印刷を優先させるかが確定される。具体的には、このＳ１１６に進むと、図１１（ａ）に示すように、液晶ディスプレイ７において、「コピー／ナンバリング優先設定  コピー優先」の表示がなされ、コピー印刷を優先させた状態にある。このとき、コピー設定キー１１１又はナンバリング設定キー１１２の入力があると、図１１（ｂ）に示すように、液晶ディスプレイ７において、「コピー／ナンバリング優先設定  ナンバリング優先」の表示がなされ、ナンバリング印刷を優先させた状態に移行する。さらに、コピー設定キー１１１又はナンバリング設定キー１１２の入力があると、図１１（ａ）に示すように、液晶ディスプレイ７において、「コピー／ナンバリング優先設定  コピー優先」の表示がなされ、コピー印刷を優先させた状態に移行する。すなわち、このＳ１１６においては、コピー設定キー１１１又はナンバリング設定キー１１２の入力がある毎に、コピー印刷を優先させた状態とナンバリング印刷を優先させた状態とに交互に移行する。そして、このＳ１１６において、リターンキー５の入力があると、コピー／ナンバリングの優先度の設定が確定されて、その優先度がＲＡＭ７２に記憶され、図５のメイン制御プログラムに復帰することができる。
【００７０】
次に、上述した図５のＳ２２の複数枚印刷処理について説明する。図１２は、複数枚印刷処理プログラムのフローチャートを示した図である。上述したように、図５のＳ１６において、印刷キー３の入力があったと判断される場合（Ｓ１６：ＹＥＳ）には、図１５のＳ２２に進んで、図１２の複数枚印刷処理が行われる。すなわち、図１２に示すように、先ず、Ｓ１２１において、次に作出されるプリントラベルＰがあるか否かが、ＲＡＭ７２に確保された印刷バッファに未印刷のデータがあるか否かに基づいて判断される。このとき、前記印刷バッファに未印刷のデータは無く、次に作出されるプリントラベルＰがないと判断される場合（Ｓ１２１：ＮＯ）には、後述のＲＡＭ７２に確保された枚数カウンタを「０」にリセットし、図５のメイン制御プログラムに復帰することができる。一方、前記印刷バッファに未印刷のデータが有り、次に作出されるプリントラベルＰがあると判断される場合（Ｓ１２１：ＹＥＳ）には、Ｓ１２２に進んで、後述する１枚印刷処理を行った後に、Ｓ１２１自身に戻る。
【００７１】
次に、上述した図１２のＳ１２２の１枚印刷処理について説明する。図１３は、１枚印刷処理プログラムのフローチャートを示した図である。上述したように、図１２のＳ１２１において、次に作出されるプリントラベルＰがあると判断される場合（Ｓ１２１：ＹＥＳ）には、図１２のＳ１２２に進んで、図１３の１枚印刷処理が行われる。すなわち、図１３に示すように、先ず、Ｓ１３１において、「カットポーズ」のＯＦＦが設定された状態であるか否か判断される。このとき、「カットポーズ」のＯＦＦが設定された状態にあると判断される場合（Ｓ１３１：ＹＥＳ）には、何もすることなく、Ｓ１３３に進む。一方、「カットポーズ」のＯＦＦが設定された状態にない、即ち、「カットポーズ」のＯＮが設定された状態にあると判断される場合（Ｓ１３１：ＮＯ）には、Ｓ１３２に進んで、後述するカットポーズチェック処理を行った後に、Ｓ１３３に進む。
【００７２】
Ｓ１３３では、ＲＡＭ７２に確保された印刷バッファの記憶内容に基づき、被印刷テープＴに対して、プリントラベルＰの１枚分の印刷が行われ、さらに、固定刃５６と可動刃５７の協働により切断線１０１に沿って切断が行われることにより、１枚分のプリントラベルＰが作出される。このとき、ＲＡＭ７２に確保された枚数カウンタに「１」を加算することにより、プリントラベルＰの作出枚数（印刷枚数）の合計が記憶される。また、固定刃５６と可動刃５７の協働は、上述したように、ＤＣモータ６１の駆動源として、自動的に行われる。その後は、Ｓ１３４に進んで、後述する１枚印刷処理を行った後に、図１２の複数枚印刷処理プログラムに復帰する。
【００７３】
次に、上述した図１３のＳ１３２のカットポーズチェック処理について説明する。図１４は、カットポーズチェック処理プログラムのフローチャートを示した図である。上述したように、図１３のＳ１３１において、「カットポーズ」のＯＦＦが設定された状態にないと判断される場合（Ｓ１３１：ＮＯ）には、図１３のＳ１３２に進んで、図１４のカットポーズチェック処理が行われる。すなわち、図１４に示すように、先ず、Ｓ１４１において、ＲＡＭ７２から「カットポーズ」の枚数及び時間を取得する。そして、Ｓ１４２において、ＲＡＭ７２に確保された枚数カウンタの値とＳ１４１にて取得した「カットポーズ」の枚数とを比較することで、「カットポーズ」の枚数まで印刷しているか否かが判断される。このとき、「カットポーズ」の枚数まで印刷していないと判断される場合（Ｓ１４２：ＮＯ）には、何もすることなく、図１３の１枚印刷処理プログラムに復帰する。一方、「カットポーズ」の枚数まで印刷していると判断される場合（Ｓ１４２：ＹＥＳ）には、Ｓ１４３に進む。Ｓ１４３では、「カットポーズ」の時間の計測が開始され、Ｓ１４４に進む。
【００７４】
Ｓ１４４では、キーボード６上のいずれかのキーからキー入力があるか否かが判断される。このとき、キー入力があると判断される場合（Ｓ１４４：ＹＥＳ）には、何もすることなく、図１３の１枚印刷処理プログラムに復帰する。一方、キー入力がないと判断される場合（Ｓ１４４：ＮＯ）には、Ｓ１４５に進む。
【００７５】
Ｓ１４５では、「カットポーズ」の時間を経過しているか否かが判断される。このとき、「カットポーズ」の時間を経過していると判断される場合（Ｓ１４５：ＹＥＳ）には、何もすることなく、図１３の１枚印刷処理プログラムに復帰する。一方、「カットポーズ」の時間を経過していないと判断される場合（Ｓ１４５：ＮＯ）には、Ｓ１４６に進む。
【００７６】
Ｓ１４６では、ＣＰＵ７０に内蔵されたタイマに基づき時間を累算した後、上述したＳ１４４に戻る。すなわち、上述したＳ１４４に進むと、キーボード６上のいずれかのキーからキー入力があるか（Ｓ１４４：ＹＥＳ）、あるいは、「カットポーズ」の時間が経過するまでは（Ｓ１４５：ＹＥＳ）、Ｓ１４４→Ｓ１４５→Ｓ１４６→Ｓ１４４→・・・のループを抜け出せない。尚、Ｓ１４５で累積される時間は、ＲＡＭ７２に上書きで記憶されるが、上述したループを抜け出すと、「０」にリセットされる。
【００７７】
次に、上述した図１３のＳ１３４の１枚印刷終了処理について説明する。図１５は、１枚印刷終了処理プログラムのフローチャートを示した図である。上述したように、図１３のＳ１３３の処理が行われた後は、図１３のＳ１３４に進んで、図１５の１枚印刷終了処理が行われる。すなわち、図１５に示すように、先ず、Ｓ１５１において、ＲＡＭ７２に記憶された情報に基づいて、今回の印刷がコピー印刷のみか否かが判断される。このとき、コピー印刷のみであると判断される場合（Ｓ１５１：ＹＥＳ）には、何もすることなく、図１３の１枚印刷処理プログラムに復帰する。一方、コピー印刷のみでないと判断される場合（Ｓ１５１：ＮＯ）には、Ｓ１５２に進む。
【００７８】
Ｓ１５２では、ＲＡＭ７２に記憶された情報に基づいて、今回の印刷がナンバリング印刷のみか否かが判断される。このとき、ナンバリング印刷のみであると判断される場合（Ｓ１５２：ＹＥＳ）には、Ｓ１５３に進んで、ＲＡＭ７２に確保された展開バッファのテキストに対してナンバリング処理を行い、その後に、図１３の１枚印刷処理プログラムに復帰する。一方、ナンバリング印刷のみでないと判断される場合（Ｓ１５２：ＮＯ）には、Ｓ１５４に進む。
【００７９】
Ｓ１５４では、ＲＡＭ７２に記憶された情報に基づいて、今回の印刷がコピー印刷及びナンバリング印刷を行うものであるか否かが判断される。このとき、今回の印刷がコピー印刷及びナンバリング印刷を行うものでないと判断される場合（Ｓ１５４：ＮＯ）には、図１３の１枚印刷処理プログラムに復帰する。一方、今回の印刷がコピー印刷及びナンバリング印刷を行うものであると判断される場合（Ｓ１５４：ＹＥＳ）には、Ｓ１５５に進む。
【００８０】
Ｓ１５５では、ＲＡＭ７２に記憶された優先度に基づいて（図１０のＳ１１６参照）、今回の印刷がコピー印刷が優先であるか否かが判断される。このとき、コピー印刷が優先であると判断される場合（Ｓ１５５：ＹＥＳ）には、Ｓ１５６に進んで、後述するコピー優先印刷終了処理が行われる。一方、コピー印刷が優先でないと判断される場合（Ｓ１５５：ＹＥＳ）には、ナンバリング印刷が優先されることから、Ｓ１５７に進んで、後述するナンバリング優先印刷終了処理が行われる。
【００８１】
次に、上述した図１５のＳ１５６のコピー優先印刷終了処理について説明する。図１６は、コピー優先印刷終了処理プログラムのフローチャートを示した図である。上述したように、図１５のＳ１５５において、コピー印刷が優先であると判断される場合（Ｓ１５５：ＹＥＳ）には、図１５のＳ１５６に進んで、図１６のコピー優先印刷終了処理が行われる。すなわち、図１６に示すように、先ず、Ｓ１６１において、ＲＡＭ７２に確保された枚数カウンタの値に基づいて、コピー印刷の枚数分の印刷を行ったか否かが判断される。このとき、コピー印刷の枚数分の印刷を行っていないと判断される場合（Ｓ１６１：ＮＯ）には、何もすることなく、図１５の１枚印刷終了処理に復帰する。一方、コピー印刷の枚数分の印刷を行ったと判断される場合（Ｓ１６１：ＹＥＳ）には、Ｓ１６２に進む。
【００８２】
Ｓ１６２では、ＲＡＭ７２に確保された展開バッファのテキストに対してナンバリング処理を行い、その後に、ＲＡＭ７２に記憶された種々の情報が初期設定にリセットされて、図１５の１枚印刷終了処理に復帰する。
【００８３】
次に、上述した図１５のＳ１５７のナンバリング優先印刷終了処理について説明する。図１７は、ナンバリング優先印刷終了処理プログラムのフローチャートを示した図である。上述したように、図１５のＳ１５５において、コピー印刷が優先でないと判断される場合（Ｓ１５５：ＮＯ）には、図１５のＳ１５７に進んで、図１７のナンバリング優先印刷終了処理が行われる。すなわち、図１７に示すように、先ず、Ｓ１７１において、ＲＡＭ７２に確保された枚数カウンタの値に基づいて、ナンバリング印刷の枚数分の印刷を行ったか否かが判断される。このとき、ナンバリング印刷の枚数分の印刷を行っていないと判断される場合（Ｓ１７１：ＮＯ）には、Ｓ１７２に進む。Ｓ１７２では、ＲＡＭ７２に確保された展開バッファのテキストに対してナンバリング処理を行った後に、図１５の１枚印刷終了処理に復帰する。尚、このとき、ナンバリング処理される前の状態のテキストがＲＡＭ７２に記憶される。
【００８４】
一方、ナンバリング印刷の枚数分の印刷を行ったと判断される場合（Ｓ１７１：ＹＥＳ）には、Ｓ１７３に進んで、ＲＡＭ７２に確保された展開バッファのテキストがナンバリング処理される前の状態に戻され、その後に、ＲＡＭ７２に記憶された種々の情報が初期設定にリセットされて、図１５の１枚印刷終了処理に復帰する。
【００８５】
以上詳細に説明したように、本実施の形態のテープ印刷装置１では、図１３の１枚印刷処理におけるＳ１３３が実行されると、パルスモータ７５を駆動源として送り出された被印刷テープＴに対し、ＲＡＭ７２に確保された印刷バッファの記憶内容に基づいて、プリントラベルＰにして１枚分のナンバリング印刷又はコピー印刷が行われ、さらに、ＤＣモータ６１の駆動源として固定刃５６と可動刃５７が協働することにより、当該被印刷テープＴが自動的に切断されて、１枚のプリントラベルＰが作出される。
【００８６】
このとき、「カットポーズ」の設定がＯＦＦの状態である場合（Ｓ１３１：ＹＥＳ）には、プリントラベルＰが連続して作出され、この連続した作出は、ユーザによって既に設定されたコピー枚数分（図１０のＳ１１１参照）又はナンバリング枚数分（図１０のＳ１１４参照）を作出するまで行われる。
【００８７】
一方、「カットポーズ」の設定がＯＮの状態である場合（Ｓ１３１：ＮＯ）にも、ユーザによって既に設定されたコピー枚数分（図１０のＳ１１１参照）又はナンバリング枚数分（図１０のＳ１１４参照）まで、プリントラベルＰが引き続いて作出されるものの、図１３の１枚印刷処理において、Ｓ１３２のカットポーズチェック処理（図１４参照）を経由するため、プリントラベルＰの作出枚数が当該コピー枚数分（図１０のＳ１１１参照）又は当該ナンバリング枚数分（図１０のＳ１１４参照）に到達する以前において、プリントラベルＰの作出が途中で一時的に停止される「カットポーズ」が行われる。
【００８８】
この点、「カットポーズ」の設定をＯＮの状態にするには、図６のカットポーズ設定処理でのＳ１０１の処理において、カットポーズ設定キー４を入力することにより、ユーザーが任意に行うことができる。
【００８９】
また、この「カットポーズ」の開始は、図１４のカットポーズチェック処理でのＳ１４２の判断処理において、「カットポーズ」の枚数まで印刷していると判断される場合（Ｓ１４２：ＹＥＳ）に行われる。
一方、この「カットポーズ」の解除は、図１４のカットポーズチェック処理でのＳ１４４の判断処理において、「カットポーズ」の時間を経過していると判断される場合（Ｓ１４４：ＹＥＳ）、すなわち、「カットポーズ」が開始されてから「カットポーズ」の時間を経過した時点で行われる。
さらに、この「カットポーズ」の解除は、図１４のカットポーズチェック処理でのＳ１４３の判断処理において、キーボード６上のいずれかのキーからキー入力があると判断される場合（Ｓ１４３：ＹＥＳ）、すなわち、「カットポーズ」の実行中にキーボード６上のいずれかのキーからキー入力があるときにも行われる。
【００９０】
この点、「カットポーズ」の枚数は、図６のカットポーズ設定処理でのＳ１０３の処理において、キーボード６上のキーを介して、ユーザーが任意に設定することができる。
また、「カットポーズ」の時間は、図６のカットポーズ設定処理でのＳ１０４の処理において、キーボード６上のキーを介して、ユーザーが任意に設定することができる。
さらに、ユーザーは、「カットポーズ」の時間が経過する前でも、キーボード６上のいずれかのキーを入力すれば、「カットポーズ」を解除することができる。
【００９１】
尚、「カットポーズ」の解除がなされると、上記Ｓ１４２の判断対象となる印刷枚数はリセットされるので、「カットポーズ」の解除後に「カットポーズ」の枚数まで印刷が行われると（Ｓ１４２：ＹＥＳ）、「カットポーズ」が再び開始される。
【００９２】
すなわち、本実施の形態のテープ印刷装置１では、ユーザーが、カットポーズ設定キー４を介して「カットポーズ」の設定をＯＮの状態にすれば（図６のＳ１０１）、キーボード６上のキーを介して「カットポーズ」の枚数及び時間を設定することができる（図６のＳ１０２：ＹＥＳ、Ｓ１０３、Ｓ１０４）。そして、これらの設定がなされると、パルスモータ７５を駆動源として送り出された被印刷テープＴに対し、プリントラベルＰにして１枚分のナンバリング印刷又はコピー印刷が行われ、さらに、ＤＣモータ６１の駆動源として固定刃５６と可動刃５７が協働することにより、当該被印刷テープＴが自動的に切断されて、１枚のプリントラベルＰが作出される（図１３のＳ１３３）。
【００９３】
このプリントラベルＰの作出は、コピー枚数分又はナンバリング枚数分のプリントラベルＰが作出されるまで引き続いて行われるが、このとき、「カットポーズ」の枚数分のプリントラベルＰが作出されると、これを契機として（図１４のＳ１４２：ＹＥＳ）、「カットポーズ」の時間が経過するまで（図１４のＳ１４４：ＮＯ）、プリントラベルＰの作出が一時的に停止される。そして、その後に、「カットポーズ」の時間が経過すると（図１４のＳ１４４：ＹＥＳ）、プリントラベルＰの作出が再開される。さらに、その後に、「カットポーズ」の枚数分のプリントラベルＰが再び作出されると、これを契機として（図１４のＳ１４２：ＹＥＳ）、「カットポーズ」の時間が経過するまで（図１４のＳ１４４：ＮＯ）、プリントラベルＰの作出が再び一時的に停止される。このようにして、「カットポーズ」の枚数及び時間を基準として、プリントラベルＰの作出の開始・一時的停止が繰り返されるので、作出されたプリントラベルＰを貼り付ける作業を簡便に行うことができる。
【００９４】
特に、本実施の形態のテープ印刷装置１では、ユーザーが、カットポーズ設定キー４を介して「カットポーズ」の設定をＯＮの状態にすれば（図６のＳ１０１）、キーボード６上のキーを介して「カットポーズ」の枚数及び時間を設定することができ（図６のＳ１０２：ＹＥＳ、Ｓ１０３、Ｓ１０４）、プリントラベルＰを貼り付ける作業の実情に合わせて、「カットポーズ」の枚数及び時間を適宜に設定することができるので、プリントラベルＰを貼り付ける作業に適合させながら、当該プリントラベルＰの作出を同時に行わせることができる。
【００９５】
さらに、本実施の形態のテープ印刷装置１では、図１０のコピー印刷設定処理及びナンバリング印刷設定処理のＳ１１６において、ユーザーがコピー設定キー１１１又はナンバリング設定キー１１２の入力をすることにより、被印刷テープＴになされるナンバリング印刷とコピー印刷について、その優先度を設定することができ、被印刷テープＴに印刷されるテキスト内容の順番を、プリントラベルＰを貼り付ける作業にとって都合のよいように調整することができるので、そのように処理された被印刷テープＴに対して「カットポーズ」を行う結果、プリントラベルＰを貼り付ける作業により適合させることができる。
【００９６】
尚、本発明は上記実施の形態に限定されるものでなく、その趣旨を逸脱しない範囲で様々な変更が可能である。
例えば、本実施の形態のテープ印刷装置１では、被印刷テープＴになされる印刷はナンバリング印刷とコピー印刷であったが、この点、印刷されるテキスト内容がＲＡＭ７２などにファイル単位で保存されたものを繰り返して印刷するファイル印刷に適用してもよい。
【産業上の利用可能性】
【００９７】
本発明は、複数枚のプリントラベルを連続して作出する際に行われる一時停止の操作制御に適用しうる。
【図面の簡単な説明】
【００９８】
【図１】テープカセット収納部の収納カバーを開けて示すテープ印刷装置の平面図である。
【図２】カセット収納部にテープカセットを収納した状態を示す平面図である。
【図３】カセット収納部にテープカセットを収納した状態を一部拡大して示す平面図である。
【図４】テープ印刷装置の制御系を示すブロック図である。
【図５】メイン制御プログラムのフローチャートである。
【図６】カットポーズ設定処理プログラムのフローチャートである。
【図７】カットポーズ設定処理でモードを設定する際の液晶ディスプレイの表示内容を示した図である。
【図８】カットポーズ設定処理でカットポーズ枚数を設定する際の液晶ディスプレイの表示内容を示した図である。
【図９】カットポーズ設定処理でカットポーズ時間を設定する際の液晶ディスプレイの表示内容を示した図である。
【図１０】コピー印刷設定処理プログラム及びナンバリング印刷設定処理プログラムのフローチャートである。
【図１１】（ａ）は、コピー印刷設定処理又はナンバリング印刷設定処理でコピー優先を設定した際の液晶ディスプレイの表示内容を示した図である。（ｂ）は、コピー印刷設定処理又はナンバリング印刷設定処理でナンバリング優先を設定した際の液晶ディスプレイの表示内容を示した図である。
【図１２】複数枚印刷処理プログラムのフローチャートである。
【図１３】１枚印刷処理プログラムのフローチャートである。
【図１４】カットポーズチェック処理プログラムのフローチャートである。
【図１５】１枚印刷終了処理プログラムのフローチャートである。
【図１６】コピー優先印刷終了処理プログラムのフローチャートである。
【図１７】ナンバリング優先印刷終了処理プログラムのフローチャートである。
【図１８】（ａ）は、コピー印刷の一実施態様を示す図である。（ｂ）は、コピー印刷された複数枚のプリントラベルの一実施態様を示す図である。
【図１９】（ａ）は、ナンバリング印刷の一実施態様を示す図である。（ｂ）は、ナンバリング印刷された複数枚のプリントラベルの一実施態様を示す図である。
【図２０】（ａ）は、コピー印刷とナンバリング印刷を併用した場合にコピー印刷を優先したときの一実施態様を示す図である。（ｂ）は、コピー印刷とナンバリング印刷を併用した場合にコピー印刷を優先したときの複数枚のプリントラベルの一実施態様を示す図である。
【図２１】（ａ）は、コピー印刷とナンバリング印刷を併用した場合にナンバリング印刷を優先したときの一実施態様を示す図である。（ｂ）は、コピー印刷とナンバリング印刷を併用した場合にナンバリング印刷を優先したときの複数枚のプリントラベルの一実施態様を示す図である。
【符号の説明】
【００９９】
１  テープ印刷装置
２  文字入力キー
４  カットポーズ設定キー
５  リターンキー
６  キーボード
１１  サーマルヘッド
５６  固定刃
５７  可動刃
６１  ＤＣモータ
７５  パルスモータ
１１１  コピー設定キー
１１２  ナンバリング設定キー
Ｐ  プリントラベル
Ｔ  被印刷テープ
【図１】
2005247449.tif 000003
【図２】
2005247449.tif 000004
【図３】
2005247449.tif 000005
【図４】
2005247449.tif 000006
【図５】
2005247449.tif 000007
【図６】
2005247449.tif 000008
【図７】
2005247449.tif 000009
【図８】
2005247449.tif 000010
【図９】
2005247449.tif 000011
【図１０】
2005247449.tif 000012
【図１１】
2005247449.tif 000013
【図１２】
2005247449.tif 000014
【図１３】
2005247449.tif 000015
【図１４】
2005247449.tif 000016
【図１５】
2005247449.tif 000017
【図１６】
2005247449.tif 000018
【図１７】
2005247449.tif 000019
【図１８】
2005247449.tif 000020
【図１９】
2005247449.tif 000021
【図２０】
2005247449.tif 000022
【図２１】
2005247449.tif 000023